(57)【要約】【課題】  天井を構成するパネルの新設および交換が容易で設計も簡易になる天井パネルの取付構造を提供する。【解決手段】  天井構造物１８に保持された吊下部材１１，１２に、連結具１３，１４を介して吊下げられる連結部６を上面に突設した固定パネル２と、この固定パネル２を水平方向に複数枚配したときに形成される開口２３を閉塞する外形形状で、この開口２３の外方へ延出し前記開口２３の閉塞時に前記固定パネル２の上面に載置される延出部９ｃを外周縁に複数設けた開閉パネル３と、を備えてなる。【選択図】図５
2010236176.tif 000002
【特許請求の範囲】
【請求項１】
天井構造物に保持された吊下部材に、連結具を介して吊下げられる連結部を上面に突設した固定パネルと、
該固定パネルを水平方向に複数枚配したときに形成される開口を閉塞する外形形状を有し、且つ、前記開口の外方へ延出し前記開口の閉塞時に前記固定パネルの上面に載置される延出部を外周縁に複数設けた開閉パネルと、
を備えたことを特徴とする天井パネルの取付構造。
【請求項２】
前記開閉パネルを囲み、且つ、当該開閉パネルの側部に沿って前記固定パネルを複数枚配設してなることを特徴とする請求項１に記載の天井パネルの取付構造。
【請求項３】
前記連結具が蝶ネジであり、前記連結部材に形成されたネジ孔に螺入して締め付け、前記固定パネル同士を相互に密接させることを特徴とする請求項１又は請求項２に記載の天井パネルの取付構造。
【発明の詳細な説明】
【技術分野】
【０００１】
本発明は、住宅等の建物の天井構造物に取付部材を介してパネルやボード等の天井板を取付ける天井パネルの取付構造に関し、特に、パネルを天井構造物に対し着脱自在に保持する天井パネルの取付構造に関する。
【背景技術】
【０００２】
従来より、住宅等の建物の天井は、天井構造物である天井梁に野縁を垂設し、この野縁に天井材を取付けて天井下地を形成した後、この天井下地に取付ビスや釘タッカー等を用いて天井板を固着するのが一般的であった。
【０００３】
このような天井構造において、天井板の下地材への取付けが簡単で、取替えも自由にできることを目的とした天井構造が提案されている。例えば、特許文献１に記載の天井構造は、天井板を保持するための天井板固定枠を下地部材への取付け部と、この取付け部より延出する吊り部材及びこの吊り部材の先端部に取付けられた天井板係止部材により構成している。この天井板係止部材は、断面形状が逆Ｔ字型形状で、そのフランジの先端部が全ての板厚に対応できる天井板の取付部となっている。この天井板固定枠を使用して天井板を取付けると、天井板係止部材の露出面と適宜厚さの天井板の表面との間に一定の段差が生じ、各露出面が天井板間の溝となる。このような天井構造によれば、同一の天井板固定枠で、厚さの異なる天井板を併設したり、取り替えたりすることができるというものである。
【０００４】
また、天井裏作業に支障を生ずることなく、視覚的な方向性や天井配置器具の設置の方向性が限定されることのない天井パネルの支持構造も提案されている。例えば、特許文献２の天井パネルの支持構造は、吊具と支持フランジおよび天井パネルを備えて構成されている。吊具は、スペーサ、固定スリーブ及び位置調整アーム等を備えており、これらをボルトで天井スラブ側の台座に捩じ込み固定し、天井スラブの下面に縦横所定の間隔をおいて吊下げる。なお、位置調整アームには、長孔が開口されており、前記ボルトを中心に回動かつ位置調整が可能となっている。また、支持フランジは円盤状で、前記位置調整アームの一端下面に軸を介して固定配置されている。この支持フランジには、天井パネル固定用の４つのビス孔が等間隔に開口形成されている。
【０００５】
天井パネルは、支持フランジの配置間隔に等しい面形状であって、該支持フランジにスライド可能に係合するガイド溝を四辺の側面に切欠き形成している。また、上面の各辺には、支持フランジ形状の半分に相当する形状で、前記ガイド溝に連通する取付け、取外し用の切欠きを形成してある。このような形状の天井パネルは、四隅が各支持フランジに支持されて、複数の吊具に保持されるようになっている。
【先行技術文献】
【特許文献】
【０００６】
【特許文献１】特開２００３−４１７０３公報
【特許文献２】特開平８−２７９４６公報
【発明の概要】
【発明が解決しようとする課題】
【０００７】
ところで、上述のような従来の天井構造においては、天井構造物に天井下地を形成してから天井板あるいは天井パネルを取付けるので、この取付作業や以後の着脱作業が煩瑣なものとなっていた。よって、天井パネルの新設、交換およびメンテンス等を容易に行うことができなかった。
【０００８】
また、天井パネルが天井下地に固着されているので、天井の更新や改造に手数がかかり、住宅インフィル（内装、設備等）のシステム化には対応し難いものであった。さらに、天井パネルは天井下地に取付ビスや釘タッカー等によって取付けており、これらの取付け部材が下方から見えるので、美観に劣るという欠点もあった。
【０００９】
また、上記特許文献１の天井構造は、下地部材や取付け部を設けた後、吊り部材及び天井板係止部材により天井板を係止するので、やはり取付作業や着脱作業が煩瑣であり、前記従来の一般家屋と同様に天井板の新設、交換およびメンテンス等を簡易に行えず、住宅インフィルのシステム化にも対応し難いという問題が残されていた。
【００１０】
また、上記特許文献２の天井パネルの支持構造は、天井配置器具等の設置の方向性が限定されない利点を有しているが、天井配置器具に合わせて天井パネルに切欠き等を形成しているので、逆に、天井パネルの取付け箇所が限定されるという難点があった。
【００１１】
そこで、本発明は、上記課題に鑑みてなされたもので、天井を形成するパネルを天井構造物に対し着脱自在として新設、交換およびメンテンス等を容易に行うことができる天井パネルの取付構造を提供することを目的としている。
【課題を解決するための手段】
【００１２】
請求項１に記載の天井パネルの取付構造は、天井構造物に保持された吊下部材に、連結具を介して吊下げられる連結部を上面に突設した固定パネルと、該固定パネルを水平方向に複数枚配したときに形成される開口を閉塞する外形形状を有し、且つ、前記開口の外方へ延出し前記開口の閉塞時に前記固定パネルの上面に載置される延出部を外周縁に複数設けた開閉パネルと、を備えたことを特徴としている。
【００１３】
請求項２に記載の天井パネルの取付構造は、前記開閉パネルを囲み、且つ、当該開閉パネルの側部に沿って前記固定パネルを複数枚配設してなることを特徴としている。
【００１４】
請求項３に記載の天井パネルの取付構造は、前記連結具が蝶ネジであり、前記連結部材に形成されたネジ孔に螺入して締め付け、前記固定パネル同士を相互に密接させることを特徴としている。
【発明の効果】
【００１５】
請求項１に記載の天井パネルの取付構造によると、開閉パネルの大きさに相当する開口が生じるように複数枚の固定パネルを吊下部材に吊下げた後、開口周囲の固定パネル上に開閉パネルの延出部を載置すると、この開口が閉塞されるので、固定パネルの吊下げ作業と開閉パネルの載置作業により天井パネルを取付けることができる。また、開閉パネルを押し上げて除去すると、天井パネルに開口が生じるので、この開口から固定パネルを順次外すことができる。
【００１６】
このように、開閉パネルおよび固定パネルの着脱作業が簡易なので、天井パネルの新設、交換およびメンテナンス等を容易に行える。また、天井の更新や改造を簡便に行えるので、住宅インフィルのシステム化に対応し易いという利点がある。さらに、この天井パネルは、従来のように、取付ビスや釘タッカー等によって取付けるものではなく、取付け部材が下方から見えないので、美観に優れた天井パネルを提供できるといった効果がある。
【００１７】
請求項２に記載の天井パネルの取付構造によると、開閉パネルを囲み、かつこの開閉パネルの側部に沿って固定パネルを複数枚配設するので、開閉パネルを基準に固定パネルを割り付けて天井パネルを形成することができ、天井パネルの設計、製作が簡易になる。また、開閉パネルの位置を自在に変更し得るので、点検口、照明器具、エアコン関連の機器等を簡便に設置することができるうえ、これら天井設置器具および機器の位置変更が容易なる。
【００１８】
請求項３に記載の天井パネルの取付構造によると、前記連結具が蝶ネジであり、連結部材に形成されたネジ孔に螺入して締め付け、固定パネルおよび開閉パネル相互を密接させることから、各パネルの間に隙間が生じないので、天井パネルの美観をより高めることができる。
【図面の簡単な説明】
【００１９】
【図１】本発明の一実施形態である天井パネルの取付構造を示す平面図。
【図２】固定パネルを示す斜視図。
【図３】開閉パネルを示す斜視図。
【図４】固定パネルおよび開閉パネルの取付状態を示す説明図。
【図５】開閉パネルの着脱状態を示す説明図。
【発明を実施するための形態】
【００２０】
以下、本発明における天井パネルの取付構造について、図面を参照しながら詳述する。この実施形態においては、軽量鉄骨からなる戸建住宅に設けられる天井パネルの取付構造について説明する。この天井パネル１は、固定パネル２および開閉パネル３の２種類を備え、天井の広さに応じた枚数を天井構造物１６に対し着脱自在に取付ける構成となっている。
【００２１】
固定パネル２は、図１、図２に示すように方形状で、上面２ａに２個の連結部材４を固着している。この固定パネル２は、本例では一辺が５００ｍｍの正四角形とし、下面２ｂ側（図４、図５参照）の端縁および角部に丸みを設けていて、不燃性を備えた材料により成形加工している。
【００２２】
連結部材４は、固定パネル２よりも短い固定片４ａに、２個の連結片４ｂおよび１個のストッパー４ｃを設け、金属材により形成している。連結片４ｂは、固定片４ａの両端を直角に折り曲げて形成し、それぞれにネジ挿通孔を設けている。また、ストッパー４ｃは、固定片４ａの一側部を直角に折り曲げて細幅に形成したものである。
【００２３】
この連結部材４は、固定パネル２の両側部２ｃ，２ｄに各固定片４ａを向い合わせて１対を溶接により固着する。この固着には、ビス止めまたは強力接着剤で接着したり、このビス止めおよび強力接着剤を併用してもよい。なお、この固着時は、ストッパー４ｃの背面と固定パネル２の端面とが面一となるように位置合わせしておく。
【００２４】
これにより、２個の連結部材４が、固定パネル２の両側部２ｃ，２ｄから離間して固着されるので、図１に示す如く固定パネル２を隣接させたときに連結部材４相互の間に幅広の間隔が確保される。よって、蝶ネジ１３，１４，１５により連結部材４を吊下部材１１，１２（図４、図５参照）に吊下げたり、この吊下部材１１，１２から外す際の着脱作業が容易になる。また、連結片４ｂには、ネジ挿通孔を形成してあり、この挿通孔に後述の蝶ネジ１３〜１５を挿通して吊下部材１１，１２のネジ孔に螺入し、固定パネル２を吊下部材１１，１２に吊下げる。
【００２５】
ストッパー４ｃは、固定片４ａよりも若干短く形成されている。このストッパー４ｃは、背面と化粧板４の端面とが面一となっているので、隣接する固定パネル２または開閉パネル３のストッパー５ｃと当接し、両者２，３間に隙間が生じることなく位置決めできる。
【００２６】
開閉パネル３は、図１、図３に示しており、固定パネル２と同形状、同材質で、上面３ａに２個の保持部材５を固着している。この保持部材５は、固定片５ａ、延出片５ｂおよびストッパー５ｃからなり、連結部材４と同材質の金属材にて形成されている。
【００２７】
延出片５ｂは、固定片５ａの両端を延出させたもので、開閉パネル３および固定パネル２の幅よりも長く形成されている。また、ストッパー５ｃは、固定片５ａの一側部を直角に折り曲げて細幅に形成したものである。この保持部材５も、ストッパー５ｃの背面と開閉パネル３の端面とが面一となるよう、前記固定パネル２と同様の手段で固着する。このときも、１対の保持部材５の各固定片５ａを向い合わせて、開閉パネル３の両側部３ｃ，３ｄに固着する。これにより、延出片５ｂが、開閉パネル３から４個突出するので、固定パネル２上に載置することができる。
【００２８】
例えば、８枚の固定パネル２を縦横に配設してその中央に開口２３（図５参照）を生じさせたとき、この開口２３に開閉パネル３側を臨ませると、固定パネル２の上面２ａに開閉パネル３の延出片５ｂが載置されて、開口２３を開閉パネル３により閉塞可能となる。この開閉パネル３も、ストッパー５ｃの背面と開閉パネル３の端面とが面一となるように接着しているので、隣接する固定パネル２のストッパー４ｃと当接させたとき両者２，３間に隙間が生じることなく位置決めできる。
【００２９】
吊下部材は、Ｕ型とＬ型の２種類を備えており、Ｕ型吊下部材１１を隣接する固定パネル２の吊下げに、Ｌ型吊下部材１２を開閉パネル３に隣接する固定パネル２の吊下げや天井の端部側に位置する固定パネル２の吊下げに用いる。Ｕ型吊下部材１１は、図４、図５に示すように側面視が逆Ｕ字状で、基部１１ａにボルト挿通孔を形成し、２個の結合部１１ｂにネジ挿通孔をそれぞれ形成してある。
【００３０】
このＵ型吊下部材１１は、図５に示す如く各結合部１１ｂに固定パネル２側の連結部材４の連結片４ｂをそれぞれ当接する。そして、長軸蝶ネジ１４のネジ部１４ａを一方の結合部１１ｂ側のネジ孔から連結片４ｂのネジ孔、さらに他方の結合部１１ｂ側のネジ孔から連結片４ｂのネジ孔に螺入して締め付ける。
【００３１】
この際、Ｕ型吊下部材１１の内側に位置するネジ部１４ａに蝶ナット１４ｃを螺入しておく。この状態で、２個の蝶ナット１４ｂ，１４ｃを回転させることにより、Ｕ型吊下部材１１の結合部１１ｂ側と連結部材４の連結片４ｂとを締め付ける。これにより、Ｕ型吊下部材１１に固定パネル２側の連結部材４がそれぞれ連結される。
【００３２】
Ｌ型吊下部材１２は、図４、図５に示す如く基部１２ａにボルト挿通孔を形成し、結合部１２ｂにネジ挿通孔を形成してある。このＬ型吊下部材１２は、結合部１２ｂに固定パネル２側の連結片４ｂを当接し、短軸蝶ネジ１３のネジ部を連結片４ｂのネジ孔から結合部１２ｂ側のネジ孔に螺入して蝶ナット１３ａで締め付ける。これにより、Ｌ型吊下部材１２に固定パネル２側の連結部材４が連結される。
【００３３】
なお、蝶ネジは、３種が用意されており、Ｕ型吊下部材１１またはＬ型吊下部材１２に応じたタイプが用いられる。即ち、Ｌ型吊下部材１２には、ネジ部が短く一端にナット、他端に蝶ナット１３ａを設けた短軸蝶ネジ１３が用いられる。一方、Ｕ型吊下部材１１には、ネジ部１４ａが長く一端にナットを有し、２個の蝶ナット１４ｂ，１４ｃを備えた長軸蝶ネジ１４が用いられる。
【００３４】
また、Ｕ型吊下部材１１用として、全体にネジを刻設したネジ部に２個の蝶ナットを螺合する棒状蝶ネジ１５も使用される。この棒状蝶ネジ１５は、図１に示すように、Ｕ型吊下部材１１用で固定パネル２の連結部材４を連結するとき、何れの方向からでも蝶ナットを操作して締め付けることができる。
【００３５】
天井構造物１６は、図４、図５に示すように、軽量のＨ型鋼１７に野縁１８を縦横に配した構成となっている。野縁１８は、金属製のチャンネルであり、下面に所定の間隔をあけて吊ボルト１９の基端を固着してある。この吊ボルト１９に前記Ｌ型吊下部材１２またはＵ型吊下部材１１がナット２０，２０を介して保持される。
【００３６】
この野縁１８は、Ｈ型鋼１７に蝶ボルト２２を備えたクリップ２１で挟持される。この際は、Ｈ型鋼１７の下端縁に野縁１８の上端縁を当接し、クリップ２１の挟持口２１ａを挿入する。そして、蝶ボルト２２を回転させてネジ部によりＨ型鋼１７と野縁１８とを締め付け、両者１７，１８をクリップで２１挟持する。これにより、所要本数の野縁１８が縦横に配列される。
【００３７】
次に、天井パネルの取付けについて、図を参照しつつ説明する。この取付けに際しては、固定パネル２および開閉パネル３を天井形成に必要な枚数用意し、着脱作業や交換作業を容易にし得る割付けをしてから、天井構造物１６に取付ける。この割付けにおいては、１枚の開閉パネル３を８枚の固定パネル２が囲むように、９枚１組とするのが好ましい。本実施形態では、図１に示すように、１組が４枚の開閉パネル３と３２枚の固定パネル２からなる４組の天井パネルＡ，Ｂ，Ｃ，Ｄを形成する場合について説明する。
【００３８】
まず、各組の固定パネル２を取付ける箇所に対応して、野縁１８の吊ボルト１９にＵ型吊下部材１１およびＬ型吊下部材１２を保持しておく。そして、１組目Ａを形成する場合、８枚の固定パネル１Ａ〜８Ａを蝶ネジ１３〜１５で取付け易く、取り外しも容易となる順に作業する。
【００３９】
ここでは、１番目とする固定パネル１Ａ（２）を取付けてから、この固定パネル１Ａに２番目の固定パネル２Ａを当接させて取付ける。つぎに、この固定パネル２Ａに３番目の固定パネル３Ａを当接させて取付ける。続いて、１番目の固定パネル１Ａに４番目の固定パネル４Ａを当接させて取付ける。また、３番目の固定パネル３Ａに５番目の固定パネル５Ａを当接させて取付ける。
【００４０】
さらに、４番目の固定パネル４Ａに６番目の固定パネル４ａを当接させて取付けた後、この固定パネル４ａに７番目の固定パネル７Ａを当接させて取付ける。また、この固定パネル７Ａに８番目の固定パネル８Ａを当接させて取付ける。これにより、８枚の固定パネル１Ａ〜８Ａの中央に開口２３（図５参照）が生じるので、この開口２３を囲む固定パネル１Ａ〜８Ａ上に開閉パネル９Ａ（３）を載置する。この結果、開口２３が閉塞され１組目Ａの天井パネルが形成される。
【００４１】
この後、２組目Ｂ〜４組目Ｄについても、１組目Ａと同じように取付け、天井全体を覆う天井パネル１を形成する。なお、固定パネル２を隣接して取付ける際は、ストッパー４ｃ相互を密接させた状態で蝶ネジ１３〜１５により締め付ける。また、開閉パネル３は、ストッパー５ｃを固定パネル２のストッパー４ｃに密接させて載置する。よって、固定パネル２および開閉パネル３相互に隙間が生じないので、パネル２，３の間の目地が幅広になることはなく、天井パネル１の美観が保たれる。
【００４２】
このように、複数枚の固定パネル２を天井構造物１６に吊下げるときに開口２３を形成しておき、この開口２３周囲の固定パネル２上に開閉パネル３の延出部５ｂを載置すると開口２３が閉塞されるので、固定パネル２の吊下げ作業と開閉パネル３の載置作業のみで天井パネルを新設することができる。
【００４３】
また、この天井パネル１は、従来のように、取付ビスや釘タッカー等によって取付けないので、取付け部材が下方から見えず美観に優れる。さらに、開閉パネル３を１枚囲んで複数枚の固定パネル２を縦横に配設するので、開閉パネル３を基準に固定パネル２を割り付けて天井パネルを形成することができ、天井パネルの設計、製作を簡易に行える。
【００４４】
ところで、このように天井パネル１を形成した後、パネル交換する場合は、開閉パネル３を取り外してから、固定パネル２を取り替える。例えば、図１に示す１組目Ａを交換する場合、開閉パネル９Ａ（３）を押し上げて外すと、開口２３が形成される。つぎに、この開口２３から２番目の固定パネル２Ａ（２）を保持する蝶ネジ１４を緩めて除去し、この固定パネル２Ａを外す。続いて、１番目の固定パネル１Ａを外してから３番目の固定パネル３Ａを外す。そして、４番目の固定パネル４Ａを外してから５番目の固定パネル５Ａを外す。
【００４５】
この後、７番目の固定パネル７Ａを外してから６番目の固定パネル４ａを外し、さらに、８番目の固定パネル８Ａを外す。このように、開閉パネル９Ａに最も近い固定パネル２Ａや７Ａを外すと、大きくなった開口から遠い固定パネル１Ａ、３Ａ、４Ａ、８Ａを外すことができるので、交換作業が容易である。
【００４６】
以上のように、固定パネル２および開閉パネル３の着脱が容易なので、天井の更新や改造が簡単になり、住宅インフィルのシステム化に対応し易い。また、点検口、照明器具、エアコン関連の機器等を簡便に設置することができるうえ、これら天井設置器具および機器の位置変更が容易となる。また、固定パネル２および開閉パネル３の移設が容易なので、室内のレイアウト変更やデザイン変更の自由度が増す。
【００４７】
なお、この天井パネル１の新設、交換およびメンテナンス等を行う際の作業手順は、前述の例に限るものではなく、天井の形態に応じて最も作業し易く効率的な順序を任意に選択可能である。また、本実施の形態で示した天井パネルの取付構造は、本発明に係る装置の一態様に過ぎず、本発明の要旨を逸脱しない範囲内で適宜設計変更できることは勿論である。
【産業上の利用可能性】
【００４８】
本発明に係る天井パネルの取付構造は、木造家屋、鉄骨鉄筋家屋の天井その他、ビルのシステム天井等にも好適に用いることができる。
【符号の説明】
【００４９】
２      固定パネル
２ａ    上面
３      開閉パネル
４      連結部材
５ｂ    延出部
１１    吊下部材
１２    吊下部材
１８    天井構造物
２３    開口
【図１】
2010236176.tif 000003
【図２】
2010236176.tif 000004
【図３】
2010236176.tif 000005
【図４】
2010236176.tif 000006
【図５】
2010236176.tif 000007